(57)【要約】【課題】所定の架空電線から開放された電線を、当該所定の架空電線に支持しておけるようにする。【解決手段】開放された電線を架空電線に仮に支持する電線仮支持具であって、開閉操作される一対の操作部１１及び１２と、当該操作部１１及び１２に開閉自在に係合されて開閉する一対の把持部１３及び１４とを有して、当該把持部１３及び１４が架空電線を把持して姿勢を保持するクリップ１０と、開閉操作される一対の操作部２１及び２２と、当該操作部２１及び２２と開閉自在に係合されて開閉する一対の把持部２３及び２４とを有して、当該把持部２３及び２４が開放された電線の端部を支持するクリップ２０とを備え、クリップ１０の一方の操作部１２とクリップ２０の一方の操作部２２とが、互いに所定の角度で連結されている。【選択図】  図１
2009171709.tif 000002
【特許請求の範囲】
【請求項１】
開放された電線を架空電線に仮に支持する電線仮支持具であって、
開閉操作される一対の操作部と、当該操作部に開閉自在に係合されて開閉する一対の把持部とを有して、当該把持部が前記架空電線を把持して姿勢を保持する第１の支持部材と、
開閉操作される一対の操作部と、当該操作部と開閉自在に係合されて開閉する一対の把持部とを有して、当該把持部が前記開放された電線の端部を支持する第２の支持部材とを備え、
前記第１の支持部材の操作部の一方と前記第２の支持部材の操作部の一方とが、互いに所定の角度で連結されていることを特徴とする電線仮支持具。
【請求項２】
前記第１の支持部材が開閉操作される方向を第１の開閉方向とし、前記第２の支持部材が開閉操作される方向を第２の開閉方向としたとき、
前記第１の開閉方向と前記第２の開閉方向とが略直角になるように、前記第１の支持部材と前記第２の支持部材とが連結されることを特徴とする請求項１記載の電線仮支持具。
【請求項３】
前記第１の支持部材が開閉操作される方向を第１の開閉方向とし、前記第２の支持部材が開閉操作される方向を第２の開閉方向としたとき、
前記第１の開閉方向と前記第２の開閉方向とが略平行になるように、前記第１の支持部材と前記第２の支持部材とが連結されることを特徴とする請求項１記載の電線仮支持具。
【発明の詳細な説明】
【技術分野】
【０００１】
この発明は、開放された引下電線を架空電線に仮止めする仮支持クリップに適用可能な電線仮支持具に関する。詳しくは、一対の操作部と一対の把持部とを有して、当該把持部が架空電線を把持する第１の支持部材と、一対の操作部と一対の把持部とを有して、当該把持部が開放された電線を支持する第２の支持部材とを備え、第１の支持部材の操作部の一方と、第２の支持部材の操作部の一方とが、互いに所定の角度で連結されるようにして、開放された電線を、架空電線に対して所定の角度で堅固に支持できるようにするとともに、所定の架空電線から開放された電線を、当該所定の架空電線に支持しておけるようにしたものである。
【背景技術】
【０００２】
従来、高圧引下電線は分岐用のコネクタによって高圧架空電線に接続されて分岐されている。分岐された高圧引下電線は、碍子、電気部材等を介して変圧器に接続され、各家庭や事業所に低圧電力を供給するようになされる。これらの高圧引下電線や、碍子、電気部材等の工事を行う際、高圧架空電線から分岐用のコネクタを外して、高圧引下電線の高圧架空電線側の一端部を電気的に開放することがある。このとき、作業領域を確保する為、開放された電線を、工事の間、電線支持物等に仮に支持することがある。
【０００３】
電線仮支持用の工具として、特許文献１に示す電線仮支持具が開示されている。この電線仮支持具によれば、腕金用のクリップと、腕金用のクリップの把持部に揺動自在に連結されたキャップと、腕金用のクリップに連結されたキャップ支持用のクリップとを備え、キャップで引下電線の端部を絶縁止めしてから、キャップ支持用のクリップで挟み込み、引下電線を電線支持物に支持するようになされる。このようにすると、高圧カットアウトを交換する場合に、開放された引下電線の端部の姿勢を作業領域外で保持できるようになるというものである。
【０００４】
また、こうした仮支持クリップに適用できる絶縁クリップの一例として、特許文献２に示す間接工法用はさみが開示されている。この間接工法用はさみによれば、バネ力によって顎部が閉じたとき、表面に滑り止め加工を施した平坦な上下クリップの上面がほぼ平行になるように構成されている。従って、間接活線工具をあらゆる方向からアプローチでき、間接活線工具による作業の効率を向上できるというものである。
【０００５】
【特許文献１】特開２００７−２９５７２６号公報（第４頁、図１）
【特許文献２】特許第３７０９１０４号公報（第２頁、図１）
【発明の開示】
【発明が解決しようとする課題】
【０００６】
しかし、特許文献１の引下電線仮支持具によれば、高圧カットアウト等から開放された引下電線を、近くの電線支持物、例えば電柱の腕金に支持するものである。従って、架空電線の分岐点の近くに適当な腕金がない場合は、分岐点から離れた腕金に引下電線を支持する必要がある。
【０００７】
このとき、例えば三相の架空電線から３本の引下電線が開放され、３本の引下電線を同じ腕金に支持した場合、工事の後で其々を接続する際に相を間違えるおそれがある。特に、夜間の工事や停電を伴う工事では、視覚の悪さや焦りによる間違いが起こりやすい。従って、それらを防止する為に印付け等の作業を別途行う必要が生じる。
【０００８】
更に、架空電線を電線支持物に支持するには、開放された電線を電線支持物まで引き回す必要が生じる。長い距離に渡って開放された電線を引き回すと、他の電線との短絡事故の危険性が高まる。従って、開放された端部を絶縁してから引き回すようになされる。
【０００９】
また、特許文献２に係る間接工法用はさみを、単体で電線の仮支持クリップに適用すると、架空電線と開放された電線とを同時に挟持する必要が生じ、作業が困難になる。また、間接工法用はさみを間接活線工具で操作して、架空電線と開放された電線とを同時に挟持することは更に困難である。
【００１０】
そこで本発明は、上述の問題に鑑み創作されたものであり、所定の架空電線から開放された電線を、開放前に接続されていた当該所定の架空電線に、容易に且つ迅速に仮支持しておけるようにした電線仮支持具を提供することを目的とする。
【課題を解決するための手段】
【００１１】
この発明に係る電線仮支持具は、開放された電線を架空電線に仮に支持する電線仮支持具であって、開閉操作される一対の操作部と、当該操作部と開閉自在に係合されて開閉する一対の把持部とを有して、当該把持部が架空電線を把持して姿勢を保持する第１の支持部材と、開閉操作される一対の操作部と、当該操作部と開閉自在に係合されて開閉する一対の把持部とを有して、当該把持部が開放された電線の端部を支持する第２の支持部材とを備え、第１の支持部材の操作部の一方と第２の支持部材の操作部の一方とが、互いに所定の角度で連結されていることを特徴とするものである。
【００１２】
この発明に係る電線仮支持具によれば、架空電線を把持する第１の支持部材の操作部の一方と、開放された電線を支持する第２の支持部材の操作部の一方とが、所定の角度で連結されている。従って、開放された電線を架空電線に所定の角度で堅固に支持できる。
【発明の効果】
【００１３】
この発明に係る電線仮支持具によれば、一対の操作部と一対の把持部とを有して当該把持部が架空電線を把持する第１の支持部材と、一対の操作部と一対の把持部とを有して当該把持部が開放された電線を支持する第２の支持部材とを備え、第１の支持部材の操作部の一方と第２の支持部材の操作部の一方とが、所定の角度で連結されている。
【００１４】
この構成によって、開放された電線（引下電線）を架空電線に所定の角度で堅固に支持できる。従って、引下電線の姿勢を作業領域外で保持させて、容易に電気部材の交換スペースを確保できる。また、所定の架空電線から開放された引下電線を、開放前に接続されていた当該所定の架空電線に支持しておけるので、工事後に引下電線を架空電線に再度接続する際の接続間違いを防止できる。
【００１５】
また、第１の支持部材の操作部と、第２の支持部材の操作部との角度が所定の角度に固定されているので、各々の支持部材を個別に操作する際の揺動が抑制される。従って、当該電線仮支持具を間接活線工具で間接操作する場合の操作性を向上できる。
【発明を実施するための最良の形態】
【００１６】
以下、図面を参照しながら、この発明に係る電線仮支持具について説明をする。
【実施例１】
【００１７】
図１は、本発明の第１の実施例としての仮支持クリップ１００の構成例を示す斜視図である。図１に示す仮支持クリップ１００は、電線仮支持具の一例を構成し、活線工事の際に、活線（架空電線）から開放された引下電線を架空電線に仮に支持するものである。
【００１８】
仮支持クリップ１００は、高圧カットアウト、変圧器といった電気部材や、碍子、引下電線の変換工事等の際に、開放された電線を所定の電線や支線に仮支持する活線工具として使用される。仮支持クリップ１００は、クリップ１０及びクリップ２０と、２つの連結用のネジ１９から構成される。
【００１９】
クリップ１０は、第１の支持部材の一例を構成し、開閉操作される一対の操作部１１及び１２と、操作部１１及び１２に開閉自在に係合されて開閉する一対の把持部１３及び１４とを有している。通常、操作部１１及び１２は開状態であり、把持部１３及び１４は閉状態である。操作部１１及び１２が押圧されて閉状態になると、把持部１３及び１４は開状態となる。把持部１３及び１４は、操作部１１及び１２の開閉操作に応じて開閉するようになっている。クリップ１０は、把持部１３及び１４で架空電線を把持して自らの姿勢を保持する。
【００２０】
クリップ１０には、例えば絶縁クリップが適用される。クリップ１０の操作部１１及び１２は、外側に操作面１１ａ及び１２ａを有する。操作面１１ａ及び１２ａは、開閉操作時に押圧される面であり、例えば、滑り止め加工が施されている。
【００２１】
また、操作面１１ａ及び１２ａの一方の端部１１ｂ及び１２ｂは把持部１３及び１４に対して突出し、他方の端部には、操作面１１ａ及び１２ａに対して略直角に屈曲された表面部１１ｃ及び１２ｃが設けられている。操作面１１ａ及び１２ａは、端部１１ｂ及び１２ｂの側が突出することで表面積が大きくなり、操作しやすいようになっている。クリップ１０の操作部１２にはクリップ２０が連結される。
【００２２】
クリップ２０は、第２の支持部材の一例を構成し、開閉操作される一対の操作部２１及び２２と、操作部２１及び２２と開閉自在に係合されて開閉する一対の把持部２３及び２４とを有している。クリップ２０は、操作部２２がクリップ１０に連結され、クリップ１０によって架空電線に吊り下げられる。このとき、クリップ２０の把持部２３及び２４の側が下方に配される。
【００２３】
クリップ２０は、把持部２３及び２４で開放された電線の端部を支持するようになされる。クリップ２０には、例えば、クリップ１０と同型の絶縁クリップが使用される。クリップ２０の操作部２１及び２２は、外側に、開閉操作時に押圧される操作面２１ａ及び２２ａを有している。操作面２１ａ及び２２ａは、滑り止め加工が施されている。操作面２１ａ及び２２ａの一方の端部２１ｂ及び２２ｂは把持部２３及び２４に対して突出し、他方の端部には、操作面２１ａ及び２２ａに対して略直角に屈曲する表面部２１ｃ及び２２ｃが設けられている。
【００２４】
クリップ１０とクリップ２０とは、操作部の側が近接して把持部の側が離間するように、互いに反転した状態で連結される。このとき、クリップ１０の操作部１２と、クリップ２０の操作部２２とが、互いに所定の角度を維持して連結される。
【００２５】
この例では、操作面１２ａと操作面２２ａとが当接された状態で、操作部１２と操作部２２とが、連結具の一例であるネジ１９によって強固に連結される。互いに連結された、クリップ１０の開閉方向（第１の開閉方向）とクリップ２０の開閉方向（第２の開閉方向）とは略平行になる。ここでいう開閉方向とは、其々のクリップの一対の操作部が開閉操作されて接近離間する方向であり、操作部の開閉に応じて一対の把持部が接近離間する把持方向である。
【００２６】
またこの例では、操作部１２と操作部２２とが、操作面１２ａ及び２２ａの端部１２ｂ及び２２ｂの側の所定部を重ね合わせて連結される。このようにすると、開閉操作時に押圧される操作面１２ａ及び２２ａの中央部を露出できる。また、クリップ１０の操作部の開閉方向と、クリップ２０の操作部の開閉方向とが異なる位置に平行に配されるようになるので、使用者が、手又は間接工具でクリップの各々を個別に操作する際の操作性を向上できる。
【００２７】
このようにして、仮支持クリップ１００が構成される。以下で、仮支持クリップ１００の組立方法について説明をする。図２は、仮支持クリップ１００の組立例を示す斜視図である。仮支持クリップ１００を組み立てるには、まず、クリップ１０及び２０を準備する。クリップ１０及び２０には、電線を把持するのに好適な絶縁クリップを使用する。ここでは、絶縁クリップとして、特許文献２に示す間接工法用シートはさみを適用する。
【００２８】
図２に示すこの例のクリップ１０は、一方の端部が操作部１１を成し、他方の端部が把持部１３を成す部材１ａと、一方の端部が操作部１２を成し、他方の端部が把持部１４を成す部材１ｂとが、図示しないバネ部材によって中央部を連結され、把持部の側が閉状態で付勢された洗濯ばさみ形状の絶縁クリップである。
【００２９】
クリップ１０は、操作部１１及び１２の離間距離が小さく、例えば間接活線工具の一例である絶縁ヤットコによる操作性がよい構成である。また、クリップ１０は、把持部１３及び１４との当接面に電線保持用の凹部１５及び１６を有している。凹部１５及び１６は、緩やかに湾曲して電線を把持するのに好適な深さになされる。
【００３０】
クリップ１０に適用可能な絶縁クリップが準備できたら、この例では、操作部１２の端部１２ｂの側に連結用のネジ孔１２ｈを２つ開孔する。ネジ孔１２ｈは、ネジ１９と螺合可能な大きさに開孔する。更に、ネジ孔１２ｈの内周面にネジ溝を形成する。
【００３１】
次に、クリップ２０を準備する。この例のクリップ２０には、クリップ１０と同型のものを使用する。クリップ２０は、一方の端部が操作部２１を成し、他方の端部が把持部２３を成す部材２ａと、一方の端部が操作部２２を成し、他方の端部が把持部２４を成す部材２ｂとが、図示しないバネ部材によって中央部を連結され、把持部の側が閉状態で付勢された絶縁クリップである。
【００３２】
クリップ２０は、操作部２１及び２２の離間距離が小さく、絶縁ヤットコによる操作性がよい構成である。クリップ２０は、把持部２３及び２４の当接面に電線保持用の凹部２５及び２６を有している。凹部２５及び２６は、緩やかに湾曲して電線を把持するのに好適な深さになされる。
【００３３】
クリップ２０に適用可能な絶縁クリップが準備できたら、この例では、操作部２２の端部２２ｂの側に連結用のネジ孔２２ｈを２つ開孔する。ネジ孔２２ｈは、ネジ１９と螺合可能な大きさにする。更に、ネジ孔２２ｈの内周面にネジ溝を形成する。
【００３４】
２つのクリップ１０及び２０の其々にネジ孔を形成できたら、操作部１２と操作部２２とを連結する。ここでは２つのネジ１９を準備して、軸部をネジ孔２２ｈ及び１２ｈの双方に螺合し、クリップ１０とクリップ２０とを強固に連結する。
【００３５】
このとき、ネジ孔２２ｈ及び１２ｈに挿入したネジ１９の軸部の先に、更にナットを螺合してもよい。また、連結具であるネジ１９及びナットに絶縁性の部材を使用するとよい。また、クリップ１０とクリップ２０とを、強力な接着剤で接着してもよい。更に、クリップ１０の部材１ｂとクリップ２０の部材２ｂとを、一の部材として一体で形成することもできる。またこの例では、端部１１ｂ及び１２ｂの側を重ね合わせて連結するようにしたが、それに限られることはなく、表面部１１ｃ及び１２ｃを当接させて連結してもよい。このようにすると、端部１１ｂ及び１２ｂの側が外側に配置されるので、操作部を把持する場合のアプローチが容易になる。以上のようにして、仮支持クリップ１００を組み立てることができる。
【００３６】
以下で、仮支持クリップ１００が適用される、三相の高圧架空電線及び高圧引下電線の設置例について説明する。図３は、三相の高圧架空電線Ａ１〜Ａ３の設置例を示す図である。図３に示す三相の高圧架空電線Ａ１〜Ａ３は、高圧電力用の送電線である。高圧架空電線Ａ１〜Ａ３は、複数の電線支持物によって地上から所定の高さに支持される。電線支持物の一例である電柱９０には、腕金９１〜９４が設置されている。
【００３７】
電柱９０の上方には、腕金９１の一端部が連結されている。腕金９１の上面には、碍子８１〜８３が所定間隔で設置されていて、其々が電線Ａ１〜Ａ３を支持している。電柱９０から突設される腕金９１の他端部には、腕金９２が略直角に連結されている。腕金９２には、碍子８４〜８６が所定の間隙を有して設置されている。
【００３８】
ところで、三相の高圧架空電線Ａ１〜Ａ３により伝送される、例えば６６００Ｖの高圧電力は、高圧引下電線Ｃ１〜Ｃ３によって分岐されて下方に引き下げられる。高圧引下電線Ｃ１〜Ｃ３は、一方の開放部に設けられた分岐用のコネクタＢ１〜Ｂ３によって高圧架空電線Ａ１〜Ａ３に接続される。
【００３９】
コネクタＢ１〜Ｂ３は、内側が導電性の部材で構成された蝶番形状のコネクタである。高圧架空電線Ａ１〜Ａ３は、所定部に、被覆が剥がされたコネクタ接続用の導体露出部Ａ１’〜Ａ３’（図６参照）を有している。コネクタＢ１〜Ｂ３は、この導体露出部Ａ１’〜Ａ３’を挟んだ閉状態で開放側の端部がネジ留めされる。ネジ留めされたコネクタＢ１〜Ｂ３は、図３に示すように絶縁性のテープ等で被覆される。
【００４０】
コネクタＢ１〜Ｂ３によって一端部が高圧架空電線に接続された高圧引下電線Ｃ１〜Ｃ３は、高圧架空電線Ａ１〜Ａ３に対して略直角な方向に湾曲されて腕金９２の側に引き回され、腕金９２の上面の碍子８４〜８６によって下方に延在方向が屈曲される。
【００４１】
ここで、高圧架空電線Ａ１〜Ａ３が並列する方向を並列方向Ｘ１とし、高圧引下電線Ｃ１〜Ｃ３が並列する方向を並列方向Ｘ２とすると、並列方向Ｘ１と並列方向Ｘ２とは略直角になる。
【００４２】
腕金９１の下方には、腕金９１と略平行な腕金９３が設置されている。腕金９３の先端部には、腕金９２と略平行な腕金９４が略直角に連結されている。腕金９３の上面には変圧器５が設置され、腕金９４には碍子８７〜８９が設置されている。上方の腕金９２から引き下げられた高圧引下電線Ｃ１〜Ｃ３は、碍子８７〜８９によって変圧器５の側に屈曲される。
【００４３】
高圧引下電線Ｃ１〜Ｃ３の高圧受電電圧は、変圧器５によって、１００Ｖ、２００Ｖ、４００Ｖ等に低電圧変成され、図示しない低圧引下電線を介して電灯・コンセント回路等に供給される。以下、図面を参照しながら仮支持クリップ１００による電線の仮支持方法について説明をする。
【００４４】
図４Ａ及びＢ、図５Ａ及びＢは、仮支持クリップ１００の操作例（その１及び２）を示す図である。この実施例では、劣化した碍子８７〜８９（図３参照）の交換作業を行う前に、コネクタＢ１〜Ｂ３を外して高圧引下電線Ｃ１〜Ｃ３を高圧架空電線Ａ１〜Ａ３から開放し、開放した引下電線Ｃ１〜Ｃ３を、３つの仮支持クリップ１００で、其々が接続されていた高圧架空電線Ａ１〜Ａ３に仮に支持する場合について説明する。また、簡略化の為、高圧引下電線Ｃ３を高圧架空電線Ａ３に仮支持する手順について説明する。
【００４５】
高圧引下電線Ｃ３を開放するには、まず、図４Ａに示すように、被覆用の絶縁テープを剥がしてコネクタＢ３を露出させる。  
次に、図４Ｂに示すように、仮支持クリップ１００を高圧架空電線Ａ３に取り付ける。このとき、仮支持クリップ１００の操作部１１及び１２を押圧して把持部１３及び１４の開閉を操作し、クリップ１０の把持部１３及び１４の凹部１５又は１６に、高圧架空電線Ａ３の所定部を嵌合する（図１及び２参照）。仮支持クリップ１００は、クリップ１０によって高圧架空電線Ａ３に吊り下げられた姿勢を保持する。このとき、クリップ２０の把持部の側は下方に配される。
【００４６】
次に、図５Ａに示すように、コネクタＢ３の留め具を外して、高圧架空電線Ａ３から高圧引下電線Ｃ３の一端側を開放する。高圧架空電線Ａ３のコネクタＢ３が接続されていた所定部は導体露出部Ａ３’を成し、所定の長さに渡って絶縁被覆が剥がされている。開放された高圧引下電線Ｃ３は、図示しない間接活線工具、又は、絶縁手袋に覆われた作業者の一方の手によって保持されている。
【００４７】
最後に、図５Ｂに示すように高圧引下電線Ｃ３を、高圧架空電線Ａ３に支持する。このとき、間接活線工具、又は、絶縁手袋に覆われた作業者の他方の手で、クリップ２０の操作部２１及び２２を押圧して把持部２３及び２４の開閉を操作し、クリップ２０の把持部２３及び２４の凹部２５又は２６に高圧引下電線Ｃ３を嵌合する（図１及び２参照）。
【００４８】
以上のようにして、仮支持クリップ１００により、高圧引下電線Ｃ３を高圧架空電線Ａ３に仮に支持できる。同様の手順で、他の仮支持クリップ１００で高圧引下電線Ｃ１を高圧架空電線Ａ１に支持し、更に他の仮支持クリップ１００で高圧引下電線Ｃ２を高圧架空電線Ａ２に支持する。以上のようにして、碍子８７〜８９の交換時に、３つの仮支持クリップ１００を用いて、開放された三相の高圧引下電線Ｃ１〜Ｃ３の其々を、開放前に接続されていた高圧架空電線Ａ１〜Ａ３に仮支持できる。
【００４９】
図６は、仮支持クリップ１００の仮支持例を示す図である。コネクタＢ１〜Ｂ３が外されて開放された高圧引下電線Ｃ１〜Ｃ３の端部は、３つの仮支持クリップ１００（１００Ａ，１００Ｂ，１００Ｃ）によって、開放前に接続されていた高圧架空電線Ａ１〜Ａ３に個別に支持される。また、高圧引下電線Ｃ１〜Ｃ３の端部は、開放前に接続されていて、工事後に再度接続される導体露出部Ａ１’〜Ａ３’の近傍に支持される。従って、高圧引下電線Ｃ１〜Ｃ３が引き回される距離は最小限に抑えられる。
【００５０】
こうして、高圧架空電線Ａ１〜Ａ３から開放された高圧引下電線Ｃ１〜Ｃ３が作業領域外に安全に支持され、碍子８７〜８９を比較的安全に交換することができるようになる。碍子８７〜８９の交換が終了したら、其々の高圧引下電線Ｃ１〜Ｃ３を、開放前に接続されていた高圧架空電線Ａ１〜Ａ３に再び接続する。その際、仮支持クリップ１００Ａ，１００Ｂ，１００Ｃを順次外しながら、コネクタＢ１〜Ｂ３を、其々が支持される高圧架空電線Ａ１〜Ａ３に順次接続することができる。
【００５１】
このように、この発明の第１の実施例に係る仮支持クリップ１００によれば、一対の操作部１１及び１２と一対の把持部１３及び１４とを有して、把持部１３及び１４が架空電線を把持するクリップ１０と、一対の操作部２１及び２２と一対の把持部２３及び２４とを有して、把持部２３及び２４が開放された電線を支持するクリップ２０とを備え、クリップ１０の操作部１２とクリップ２０の操作部２２とが所定の角度で連結されている。また、互いに連結された、クリップ１０の開閉方向とクリップ２０の開閉方向とは、略平行に配置される。
【００５２】
この構成によって、開放された電線を架空電線に対して平行に堅固に支持できる。従って、高圧引下電線の姿勢を作業領域外で保持させて、容易に碍子の交換スペースを確保できる。
【００５３】
また、所定の架空電線から開放された電線を、開放前に接続されていた当該所定の架空電線に支持しておける。例えば、三相の高圧引下電線Ｃ１を同相の高圧架空電線Ａ１に支持しておける。これにより、工事後に、高圧引下電線を高圧架空電線に再度接続する際の接続間違いを防止できる。
【００５４】
また、開放された高圧引下電線Ｃ１〜Ｃ３の端部を、開放された導体露出部Ａ１’〜Ａ３’の近傍に支持できる。従って、高圧引下電線Ｃ１〜Ｃ３の開放端が引き回される距離が最小限に抑えられ、端部の絶縁工程を省略できる。これにより、迅速且つ容易に仮支持作業を実行できるようになる。更に、工事時間を短縮できるので、工事に伴う停電時間を短縮できる。
【００５５】
また、クリップ１０の操作部１２と、クリップ２０の操作部２２との角度が所定の角度で固定されているので、仮支持クリップ１００を、絶縁手袋で覆われた手で直接操作する場合、及び、絶縁ヤットコ等で間接操作する場合の操作性を向上できる。
【００５６】
更に、クリップ１０及びクリップ２０に両方が、ほぼ同じ太さの電線を把持するので、クリップ１０及びクリップ２０を同型の絶縁クリップで構成できる。従って、どちらのクリップで架空電線を支持してもよく、装着方向に自由度があり操作性がよい。
【００５７】
なおこの実施例では、碍子交換における高圧引下電線の仮支持作業を挙げたが、変圧器交換における低圧引込線の仮支持作業など、電気工事時に開放される電線の仮支持作業に本発明の電線仮支持具を用いることができる。
【実施例２】
【００５８】
図７は、本発明の第２の実施例としての仮支持クリップ２００の構成例を示す斜視図である。図７に示す仮支持クリップ２００は、電線仮支持具の一例を構成し、活線工事の際に、架空電線から開放された引下電線を架空電線に仮に支持するものである。
【００５９】
仮支持クリップ２００は、クリップ３０及びクリップ４０と、連結用の２つのネジ３９から構成される。クリップ３０は、第１の支持部材の一例を構成し、開閉操作される一対の操作部３１及び３２と、操作部３１及び３２と開閉自在に係合されて開閉する一対の把持部３３及び３４とを有している。クリップ３０は、把持部３３及び３４で架空電線を把持して自らの姿勢を保持するようになされる。
【００６０】
クリップ３０には、例えば第１の実施例のクリップ１０と同型の絶縁クリップが適用される。クリップ３０は、操作部３１及び３２の離間距離が小さく、絶縁ヤットコによる操作性がよいものである。また、クリップ３０は、把持部３３と把持部３４との当接面に電線保持用の凹部３５及び３６を有している。凹部３５及び３６は、緩やかに湾曲して電線を把持するのに好適な深さになされる。
【００６１】
また、クリップ３０の操作部３１及び３２は、外側に操作面３１ａ及び３２ａを有し、操作面３１ａ及び３２ａには滑り止め加工が施されている。また、操作面３１ａ及び３２ａの一方の端部３１ｂ及び３２ｂは、把持部３３及び３４に対して突出している。端部３１ｂ及び３２ｂが突出することで、操作面３１ａ及び３２ａの面積が大きくなるとともに、絶縁ヤットコが把持部３３及び３４の側からもアプローチ可能になる。更に、操作面３１ａ及び３２ａの他方の端部には、操作面３１ａ及び３２ａに略直角な表面３１ｃ及び３２ｃが設けられている。
【００６２】
クリップ３０は、一方の端部が操作部３１を成し、他方の端部が把持部３３を成す部材３ａと、一方の端部が操作部３２を成し、他方の端部が把持部３４を成す部材３ｂとが、図示しないバネ部材によって中央部を連結され、把持部の側が閉状態で付勢されたものである。クリップ３０の操作部の側には、クリップ４０が連結される。
【００６３】
クリップ４０は、第２の支持部材の一例を構成し、開閉操作される一対の操作部４１及び４２と、操作部４１及び４２と開閉自在に係合されて開閉する一対の把持部４３及び４４とを有している。クリップ４０は、クリップ３０に連結されてクリップ３０によって架空電線に吊り下げられる。吊り下げられたクリップ４０は、把持部の側が下方に配される。クリップ４０は、把持部４３及び４４で開放された電線の端部を支持するようになされる。クリップ４０には、例えば、クリップ３０と同型の絶縁クリップが使用される。
【００６４】
クリップ４０は、操作部４１及び４２の離間距離が小さく、絶縁ヤットコによる操作性がよい構成である。また、クリップ４０は、把持部４３及び４４の当接面に電線保持用の凹部４５及び４６を有している。凹部４５及び４６は、緩やかに湾曲して電線を把持するのに好適な深さになされる。
【００６５】
また、クリップ４０の操作部４１及び４２は、外側の面に操作面４１ａ及び４２ａを有している。操作面４１ａ及び４２ａには滑り止め加工が施されている。また、操作面４１ａ及び４２ａの一方の端部４１ｂ及び４２ｂは、把持部４３及び４４に対して突出している。更に、操作面４１ａ及び４２ａの他方の端部には、操作面４１ａ及び４２ａに対して略直角な表面４１ｃ及び４２ｃが設けられている。
【００６６】
クリップ４０は、一方の端部が操作部４１を成し、他方の端部が把持部４３を成す部材４ａと、一方の端部が操作部４２を成し、他方の端部が把持部４４を成す部材４ｂとが、図示しないバネ部材によって中央部を連結され、把持部の側が閉状態で付勢されたものである。
【００６７】
クリップ３０とクリップ４０とは、操作部の側が近接し、把持部の側が離間するように反転した状態で連結される。このとき、クリップ３０の操作部３２と、クリップ４０の操作部４２とが、互いに所定の角度を維持して連結される。この例では、クリップ３０が、クリップ４０に対して、長手方向に平行な回転軸で略９０°回転した状態で連結される。
【００６８】
またこの例では、クリップ３０の操作面３２ａと、クリップ４０の表面４２ｃとが当接した状態で連結される。互いに連結された、クリップ３０の開閉方向とクリップ４０の開閉方向とは略直角になる。
【００６９】
このようにクリップ３０の操作面３２ａと表面３２ｃとの屈曲部と、クリップ４０の操作面４２ａと表面４２ｃとの屈曲部とを重ねて連結すると、其々の操作面４１ａと４２ａが互いに直交することになるので、作業者の手や絶縁ヤットコのアプローチ範囲が広くなり、クリップ３０又は及び４０を個別に着脱操作する際の操作性等を改善できる。このようにして、仮支持クリップ２００が構成される。
【００７０】
仮支持クリップ２００を組み立てるには、まず、電線を把持するのに好適な絶縁クリップを２つ準備する。絶縁クリップには、例えば、第１の実施例と同様の絶縁クリップを適用する。
【００７１】
２つの絶縁クリップが準備できたら、一方の絶縁クリップをクリップ３０とし、例えば、操作部３２の表面３２ｃに連結用のネジ孔を２つ開孔する。更に、他方の絶縁クリップをクリップ４０とし、例えば、操作部４２の操作面４２ａの屈曲部の近傍に２つのネジ孔を開孔する。それぞれのネジ孔の内周面にはネジ溝を形成する。
【００７２】
２つのクリップ３０及び４０にネジ孔を形成したら、操作面３２ａと表面４２ｃとが当接するように、操作部３２と操作部４２とを重ね合わせて連結する。ここでは２つのネジ３９を準備して、軸部をネジ孔の双方に螺合し、クリップ３０とクリップ４０とを強固に連結する。
【００７３】
このとき、２つのネジ孔に挿入したネジ３９の軸部の先に、更にナットを螺合してもよい。また、こうしたネジ３９及びナットに絶縁性の部材を使用するとよい。また、クリップ３０とクリップ４０とを、強力な接着剤で接着してもよい。更に、クリップ３０の部材３ｂと、クリップ４０の部材４ｂとを、一の部材として成形することもできる。以上のようにして、仮支持クリップ２００を組み立てることができる。
【００７４】
以下、図面を参照しながら仮支持クリップ２００による電線の仮支持方法について説明をする。図８Ａ及びＢ、図９Ａ及びＢは、仮支持クリップ２００の操作例（その１及び２）を示す図である。この実施例では、劣化した碍子８７〜８９（図３参照）の交換作業を行う際に、コネクタＢ１〜Ｂ３を外して高圧引下電線Ｃ１〜Ｃ３の一端部を開放し、開放した高圧引下電線Ｃ１〜Ｃ３の一端部を、３つの仮支持クリップ２００で、其々が接続されていた高圧架空電線Ａ１〜Ａ３に仮に支持する場合について説明する。ここでは、高圧引下電線Ｃ３を高圧架空電線Ａ３に仮支持する手順について説明する。
【００７５】
まず、図８Ａに示すように、被覆用の絶縁テープを剥がしてコネクタＢ３を露出させる。
【００７６】
次に、図８Ｂに示すように、仮支持クリップ２００を高圧架空電線Ａ３に取り付ける。このとき、仮支持クリップ２００のクリップ３０の操作部３１及び３２を、絶縁ヤットコ６の先端部６ａで挟持して把持部３３及び３４を開閉操作し、凹部３５又は３６に高圧架空電線Ａ３を嵌合する。仮支持クリップ２００は、クリップ３０によって、高圧架空電線Ａ３の下に吊り下げられて姿勢を保持する。このとき、クリップ４０の把持部の側は下方に配される。
【００７７】
次に、図９Ａに示すように、コネクタＢ３の留め具を外して、高圧架空電線Ａ３から高圧引下電線Ｃ３の一端部を開放する。高圧架空電線Ａ３のコネクタＢ３が接続されていた所定部は導体露出部Ａ３’を構成する。開放された高圧引下電線Ｃ３は、絶縁ヤットコ６によって保持されている。
【００７８】
最後に、図９Ｂに示すように高圧引下電線Ｃ３をクリップ４０で支持する。このとき、もう一つの絶縁ヤットコ７を準備して、クリップ４０の操作部４１及び４２を押圧して把持部４３及び４４の開閉を操作し、クリップ４０の凹部４５又は４６に高圧引下電線Ｃ３を嵌合して支持する。
【００７９】
ところで、クリップ３０が開閉操作される方向と、クリップ４０が開閉操作される方向とが略直角なので、図８Ｂでクリップ３０を開閉操作する絶縁ヤットコ６と、図９Ｂでクリップ４０を開閉操作する絶縁ヤットコ７とが、クリップを把持する方向を略直角にして操作される。このように、クリップ３０とクリップ４０との開閉方向が異なることで、特に間接活線工具を用いる場合に、誤って他のクリップを開閉操作することを防止できる。
【００８０】
以上のように、絶縁ヤットコ６及び７を用いた間接工法によって、高圧引下電線Ｃ３を高圧架空電線Ａ３に仮支持できる。同様に、他の仮支持クリップ２００で高圧引下電線Ｃ１を高圧架空電線Ａ１に支持し、更に他の仮支持クリップ２００で高圧引下電線Ｃ２を高圧架空電線Ａ２に支持する。以上のようにして、碍子８７〜８９の交換時に、三相の高圧引下電線Ｃ１〜Ｃ３の其々を高圧架空電線Ａ１〜Ａ３から開放し、開放された高圧引下電線Ｃ１〜Ｃ３の端部を高圧架空電線Ａ１〜Ａ３に仮支持できる。
【００８１】
図１０は、仮支持クリップ２００の仮支持例を示す図である。コネクタＢ１〜Ｂ３が外されて、一端部が開放された高圧引下電線Ｃ１〜Ｃ３の端部は、３つの仮支持クリップ２００（２００Ａ，２００Ｂ，２００Ｃ）によって、開放前に接続されていた高圧架空電線Ａ１〜Ａ３に個別に支持される。
【００８２】
また、高圧引下電線Ｃ１〜Ｃ３は、高圧架空電線Ａ１〜Ａ３に対して略直角に湾曲されて、腕金９２の側に引き回される。仮支持クリップ２００は、クリップ３０とクリップ４０との把持方向が略直角に配置されるので、高圧引下電線Ｃ１〜Ｃ３を高圧架空電線Ａ１〜Ａ３に対して略直角に保持できる。従って、高圧引下電線Ｃ１〜Ｃ３の張力が緩和され、安定して姿勢を維持できるようになる。
【００８３】
更に、高圧引下電線Ｃ１〜Ｃ３の端部は、開放前に接続されていて、工事後に再度接続される導体露出部Ａ１’〜Ａ３’の近傍に支持される。従って、高圧引下電線Ｃ１〜Ｃ３が引き回される移動距離は最小限に抑えられる。
【００８４】
こうして、高圧架空電線Ａ１〜Ａ３から開放された高圧引下電線Ｃ１〜Ｃ３が作業領域外に安全に支持されるので、碍子８７〜８９を安全に交換することができる。碍子８７〜８９の交換が終了したら、其々の高圧引下電線Ｃ１〜Ｃ３を、接続されていた高圧架空電線Ａ１〜Ａ３に再び接続する。その際、仮支持クリップ２００を順次外しながら、コネクタＢ１〜Ｂ３を、其々が支持される高圧架空電線Ａ１〜Ａ３に順次接続できる。
【００８５】
このように、この発明の第２の実施例に係る仮支持クリップ２００によれば、一対の操作部３１及び３２と一対の把持部３３及び３４とを有して、把持部３３及び３４が架空電線を把持するクリップ３０と、一対の操作部４１及び４２と一対の把持部４３及び４４とを有して、把持部４３及び４４が開放された電線を支持するクリップ４０とを備え、クリップ３０の操作部３２とクリップ４０の操作部４２とが所定の角度で連結されている。また、互いに連結された、クリップ３０の開閉方向と、クリップ４０の開閉方向とは略直角になる。
【００８６】
この構成によって、開放された電線を架空電線に対して略直角に堅固に支持できる。従って、所定の架空電線から開放された電線を、当該所定の架空電線に支持しておける。例えば、三相の高圧引下電線Ｃ１を同相の高圧架空電線Ａ１に支持しておける。これにより、工事後に再度接続する際の接続間違いを防止できる。
【００８７】
また、クリップ３０の操作部３２と、クリップ４０の操作部４２とが所定の角度で固定されているので、特に、絶縁ヤットコ等でクリップ３０及びクリップ４０を個別に間接操作する場合の操作性を向上できる。また、高圧架空電線Ａ１〜Ａ３の下方で姿勢を保持するクリップ４０が、把持部４３及び４４の開閉方向を高圧引下電線Ｃ１〜Ｃ３の延在方向に略直角にして配置されるので、高圧引下電線Ｃ１〜Ｃ３を挟持する際の作業性がよい。
【００８８】
なお、この実施例では、クリップ３０の開閉操作方向とクリップ４０の開閉操作方向とが、互いに略直角に配置される場合について説明したが、２つのクリップの開閉操作方向が成す所定の角度は何度に設定してもよい。
【実施例３】
【００８９】
図１１は第３の実施例としての仮支持クリップ３００の構成例を示す図である。図１１に示す仮支持クリップ３００は、電線仮支持具の一例を構成し、活線工事の際に、架空電線から開放された引下電線を架空電線に仮に支持するものである。仮支持クリップ３００は、クリップ５０及びクリップ６０と、連結部材７０と、２つのネジ７１及び７２から構成される。
【００９０】
クリップ５０は、第１の支持部材の一例を構成し、開閉操作される一対の操作部５１及び５２と、操作部５１及び５２と開閉自在に係合されて開閉する一対の把持部５３及び５４とを有している。クリップ５０は、把持部５３及び５４で架空電線を把持して自らの姿勢を保持する。
【００９１】
クリップ５０には、絶縁クリップが適用される。クリップ５０の操作部５１及び５２は、外側に操作面５１ａ及び５２ａを有する。操作面５１ａ及び５２ａは、開閉操作時に押圧される面であり、滑り止め加工が施されている。
【００９２】
また、操作面５１ａ及び５２ａの一方の端部５１ｂ及び５２ｂは、把持部５３及び５４に対して図１１では手前方向に突出している。また、操作面５１ａ及び５２ａの後方の他方の端部には、操作面５１ａ及び５２ａに対して略直角に屈曲する表面部が設けられている。
【００９３】
クリップ５０は、操作部５１及び５２の離間距離が小さく、絶縁ヤットコによる操作性がよい構成である。また、クリップ５０は、把持部５３及び５４の当接面に電線保持用の凹部５５及び５６を有している。凹部５５及び５６は、緩やかに湾曲して電線を把持するのに好適な深さになされる。
【００９４】
クリップ５０は、一方の端部が操作部５１を成し、他方の端部が把持部５３を成す部材５ａと、一方の端部が操作部５２を成し、他方の端部が把持部５４を成す部材５ｂとが、図示しないバネ部材によって中央部を連結され、把持部の側が閉状態で付勢されて構成される。クリップ５０は、操作部５２と把持部５４とが略同一直線上に配置され、部材５ｂが直線形状の片側開閉型の絶縁クリップである。クリップ５０の操作部５２の側には、連結部材７０が連結される。
【００９５】
連結部材７０は、絶縁性の素材で構成された板状又は棒状の部材である。連結部材７０は、所定の長さＬ１を有し、図１１で上方に示す長さ方向の一端部が、クリップ５０の操作部５２に連結される。ここでは、クリップ５０の操作部５２と連結部材７０の一端部には図示しないネジ孔が開孔されていて、両者はネジ７１によって連結される。
【００９６】
操作部５２及び把持部５４と連結部材７０とは、略同一線上に配される。連結部材７０の下方の他端部は、クリップ６０に連結される。連結部材７０とクリップ６０とは、ネジ７２によって連結される。
【００９７】
クリップ６０は、第２の支持部材の一例を構成し、開閉操作される一対の操作部６１及び６２と、操作部６１及び６２と開閉自在に連結されて開閉する一対の把持部６３及び６４とを有している。クリップ６０は、操作部６２が連結部材７０を介してクリップ５０に連結され、クリップ５０によって架空電線に吊り下げられる。このとき、クリップ６０の把持部の側が下方に配される。クリップ６０は、把持部６３及び６４で開放された電線の端部を支持するようになされる。クリップ６０には、例えば、クリップ５０と略同形状の絶縁クリップが使用される。
【００９８】
クリップ６０の操作部６１及び６２は、外側に、開閉操作時に押圧される操作面６１ａ及び６２ａを有している。操作面６１ａ及び６２ａは滑り止め加工が施されている。操作面６１ａ及び６２ａの一方の端部６１ｂ及び６２ｂは把持部６３及び６４に対して突出し、他方の端部には、操作面６１ａ及び６２ａに対して略直角に屈曲する表面部が設けられている。
【００９９】
クリップ６０は、操作部６１及び６２の離間距離が小さく、絶縁ヤットコによる操作性がよい構成である。また、クリップ６０は、把持部６３及び６４の当接面に電線保持用の凹部６５及び６６を有している。凹部６５及び６６は、緩やかに湾曲して電線を把持するのに好適な深さになされる。
【０１００】
クリップ６０は、一方の端部が操作部６１を成し、他方の端部が把持部６３を成す部材６０ａと、一方の端部が操作部６２を成し、他方の端部が把持部６４を成す部材６０ｂとが、図示しないバネ部材によって中央部を連結され、把持部の側が閉状態で付勢されて構成される。クリップ６０は、操作部６２と把持部６４とが略同一直線上に配置された、部材６０ｂが直線形状の片側開閉型の絶縁クリップである。
【０１０１】
クリップ５０とクリップ６０とは、操作部の側が近接して把持部の側が離間するように、互いに反転した状態で配置される。このとき、クリップ５０の操作部５２と、クリップ６０の操作部６２とが、互いに所定の角度を維持した状態で、連結部材７０を介して連結される。ここでは、操作部５２と操作部６２と連結部材７０とは、略同一直線上に平行に配置されて連結される。また、連結部材７０を介して連結された、クリップ５０の開閉方向とクリップ６０の開閉方向とは略平行に配置される。
【０１０２】
このようにして仮支持クリップ３００が構成される。このように構成された仮支持クリップ３００は、第１及び第２の実施例の仮支持クリップ１００及び２００と同様に、ネジ留め、接着剤、一体形成等によって組み立てられ、第１及び第２の実施例の仮支持クリップ１００及び２００と略同等の手順で、引下電線を架空電線に支持する際に用いられる。
【０１０３】
このように、この発明の第３の実施例に係る仮支持クリップ３００によれば、一対の操作部５１及び５２と一対の把持部５３及び５４とを有して、把持部５３及び５４が架空電線を把持するクリップ５０と、一対の操作部６１及び６２と一対の把持部６３及び６４とを有して、把持部６３及び６４が開放された電線を支持するクリップ６０とを備え、クリップ５０の操作部５２とクリップ６０の操作部６２とが、長さＬ１の連結部材７０を介して、一直線上に配置され、所定の角度で連結されている。
【０１０４】
この構成によって、開放された電線を、連結部材７０の長さＬ１に応じた距離を維持して、架空電線の下方に堅固に支持できる。従って、開放された電線が架空電線と接触することを確実に防止できる。
【０１０５】
また、架空電線から開放された引下電線を、開放前に接続されていた架空電線に仮に支持しておけるので、工事後に再度接続する際の接続間違いを防止できる。更に、クリップ５０の操作部と、クリップ６０の操作部とが所定の間隙を有して異なる高さに保持されるので、各々を個別に操作する場合の操作性を向上できる。特に、間接活線工具を用いた場合の操作性が向上する。
【０１０６】
なお、この実施例では、クリップ５０の開閉操作方向とクリップ６０の開閉操作方向とが、互いに平行に配置される場合について説明したが、所定の角度は何度でもよく、適宜変更可能である。
【産業上の利用可能性】
【０１０７】
本発明は、架空電線から開放された引下電線を、架空電線に支持する仮支持クリップに適用して極めて好適である。
【図面の簡単な説明】
【０１０８】
【図１】第１の実施例としての仮支持クリップ１００の構成例を示す斜視図である。
【図２】仮支持クリップ１００の組立例を示す斜視図である。
【図３】三相の高圧架空電線Ａ１〜Ａ３の設置例を示す図である。
【図４】（Ａ）及び（Ｂ）は、仮支持クリップ１００の操作例（その１）を示す図である。
【図５】（Ａ）及び（Ｂ）は、仮支持クリップ１００の操作例（その２）を示す図である。
【図６】仮支持クリップ１００の仮支持例を示す図である。
【図７】第２の実施例としての仮支持クリップ２００の構成例を示す斜視図である。
【図８】（Ａ）及び（Ｂ）は、仮支持クリップ２００の操作例（その１）を示す図である。
【図９】（Ａ）及び（Ｂ）は、仮支持クリップ２００の操作例（その２）を示す図である。
【図１０】仮支持クリップ２００の仮支持例を示す図である。
【図１１】第３の実施例としての仮支持クリップ３００の構成例を示す図である。
【符号の説明】
【０１０９】
１００，２００，３００・・・仮支持クリップ、５・・・変圧器、６，７・・・絶縁ヤットコ、１０，２０，３０，４０，５０，６０・・・クリップ、１１，１２，２１，２２，３１，３２，４１，４２，５１，５２，６１，６２・・・操作部、１３，１４，２３，２４，３３，３４，４３，４４，５３，５４，６３，６４・・・把持部、７０・・・連結部材
【図１】
2009171709.tif 000003
【図２】
2009171709.tif 000004
【図３】
2009171709.tif 000005
【図４】
2009171709.tif 000006
【図５】
2009171709.tif 000007
【図６】
2009171709.tif 000008
【図７】
2009171709.tif 000009
【図８】
2009171709.tif 000010
【図９】
2009171709.tif 000011
【図１０】
2009171709.tif 000012
【図１１】
2009171709.tif 000013